(57)【要約】【課題】  防塵プレートで内部への塵埃の侵入の防止を図る構成において、電子回路或いは光学系を組付けた状態を外部から目視点検することができる携帯端末を提供する。【解決手段】  バーコードリーダ１の本体２内には光学系を構成する結像レンズ１３と、照明光学系１１を構成する照明素子１４、照明用レンズ１５とからなる光学ホルダ１７が配設されている。ここで、本体２において、光学ホルダ１７が位置する空間部は局部保護カバー１８で気密に保護されている。この局部保護カバー１８は透光性部材からなり、光学ホルダ１７の組付け状態を外部から目視点検可能となっている。従って、光学ホルダ１７の組立状態で部品を組付忘れたり、部品がずれたいたりした場合であっても、それに対応して不良品を出荷してしまうことを未然に防止できる。【選択図】  図１
2005352972.tif 000002
【特許請求の範囲】
【請求項１】
上ケースと下ケースとを組合せて形成される本体内に少なくとも電子回路または光学系のいずれかを内蔵し、上記本体に設けられた読取口を閉鎖する防塵プレートを備えた携帯端末であって、
前記電子回路または光学系の全て若しくは局部を塵埃から保護するために封鎖する局部保護カバーを備え、
前記局部保護カバーは、少なくともその一部に透光部が設けられ、配設状態で上記透光部の内側に組付けられた目視対象部品の状態が上記透光部を介して目視点検可能であることを特徴とする携帯端末。
【請求項２】
前記局部保護カバーは、透光性の樹脂成形部材から形成されていることを特徴とする請求項１記載の携帯端末。
【請求項３】
前記局部保護カバーは、前記上ケースと下ケースとで囲まれた内部空間に配置された前記電子回路または光学系の全て若しくは局部を上記内部空間に封鎖して保護するように構成されていることを特徴とする請求項１または２記載の携帯端末。
【請求項４】
前記目視対象部品は、前記上ケースと下ケースとで囲まれた内部空間の保護のため前記局部保護カバーに接して配設されたパッキンを含んでいることを特徴とする請求項３記載の携帯端末。
【請求項５】
前記局部保護カバーは、前記上ケースまたは下ケースに設けられた開口部を閉鎖し、
前記パッキンは、保護される電子回路または光学系に対して前記局部保護カバーの反対側に配設されていることを特徴とする請求項４記載の携帯端末。
【発明の詳細な説明】
【技術分野】
【０００１】
本発明は、少なくとも電子回路または光学系のいずれかを内蔵した携帯端末に関する。
【背景技術】
【０００２】
例えばバーコードリーダでは、内部への異物の侵入を防止するために、特許文献１に示されるようにバーコードリーダの読取口を防塵プレートで閉鎖するようにしている。
【特許文献１】特開平８−１８５４６６号公報
【発明の開示】
【発明が解決しようとする課題】
【０００３】
このように防塵プレートで内部を保護した構造のバーコードリーダでは、ケース内の光学系或いは電子回路の防塵を図るようにしているものの、例えば光学系をケースに組付けた場合に、光学系或いは電子回路を外部から目視点検することはできない。このため、光学系或いは電子回路を構成する部品の組付けを忘れたり、組付けに不具合を生じたりしていた場合であっても、そのまま不良製品を出荷してしまう虞がある。
【０００４】
本発明は上記事情に鑑みてなされたもので、その目的は、防塵プレートで内部への塵埃の侵入の防止を図る構成において、電子回路或いは光学系の組付け状態を外部から目視点検することができる携帯端末を提供することにある。
【課題を解決するための手段】
【０００５】
請求項１の発明によれば、本体に設けられた読取口からの塵埃の侵入は防塵プレートにより防止することができる。また、電子回路または光学系の全て若しくは局部への塵埃の侵入は局部保護カバーにより防止することができる。
ここで、局部保護カバーの内側に目視対象部品を組付ける際に、目視対象部品を組付けるのを忘れたり、不具合を生じたまま組付けたりした場合であっても、局部保護カバーの透光部の内側に組付けられた目視対象部品の状態を、透光部を介して目視点検することができるので、不良製品を出荷してしまうことを未然に防止することができる。
【０００６】
請求項２の発明によれば、局部保護カバー全体が透光部として機能するので、特別に透光部を設けることなく容易に実施することができる。
請求項３の発明によれば、ケース内の内部空間を塵埃から保護することができるので、内部空間に位置する全ての目視対象部品を確実に保護することができる。
請求項４の発明によれば、内部空間を保護するためのパッキンの組付け状態を目視点検することができる。
【０００７】
請求項５の発明によれば、ケースの内側に局部保護カバーが配設されるので、開口部から外部に突出する例えば可動可能な部材を設けた場合であっても、開口部を通じたケース内への塵埃の侵入を確実に防止することができる。
【発明を実施するための最良の形態】
【０００８】
以下、本発明を携帯式のバーコードリーダに適用した一実施例について図面を参照して説明する。
図１はバーコードリーダの先端部の斜視図、図２はバーコードリーダの平面図である。これらの図１および図２において、バーコードリーダ（携帯端末に相当）１は、ユーザーが片手で持って操作可能な大きさの縦長形状をなす本体２内の先端側に、図示しないラベル等の読取対象に記録されたバーコードを読取るための結像光学系及び照明光学系からなる光学モジュール３を内蔵すると共に、本体２の先端に横長な矩形状をなす読取口４を形成して構成されている。この本体２は、下ケース５に上ケース６が組付けられて構成されている。
【０００９】
本体２内には、全体の制御及びデコード処理等を行なう制御回路、外部との通信を行うための通信回路、駆動電源となる二次電池等が設けられている。本体２の上面部には、図２に示すように表示部７やキー操作部８が設けられ、本体２の側面部には、トリガスイッチ９が設けられている。
光学モジュール３は結像光学系１０と照明光学系１１から構成されている。この結像光学系１０は、本体２内の中央部に横長に配設された例えばＣＣＤセンサからなる一次元撮像素子１２と、この一次元撮像素子１２の前方に配置された結像レンズ１３とを備えて構成されている。この場合、結像光学系１０の平面的な視野は、読取口４の大きさとほぼ同等に設定されている。なお、詳しい図示及び説明は省略するが、結像レンズ１３は、鏡筒内に１枚又は複数枚のレンズを配設して構成される。
【００１０】
照明光学系１１は、結像レンズ１３の光軸に対して対照的に配設された一対の照明素子１４と、当該照明素子１４の前面側に配設された照明用レンズ１５とからなる。照明素子１４は、ＬＥＤ１４ａを、基板１６（図３に示す）上に複数個この場合２個横方向に並んで構成されている。照明用レンズ１５は、照明素子１４からの照明光を読取対象位置で均一な照明とするものである。
尚、上述した結像レンズ１３、照明素子１４、照明用レンズ１５は、図示しない樹脂ホルダに組付けられて光学ホルダ（目視対象部品、局部に相当）１７として一体化して組立てられており、光学モジュール３の局部として機能する。
【００１１】
ここで、上ケース６において光学モジュール３の局部となる光学ホルダ１７の上方となる部位は局部保護カバー１８により気密に閉鎖されている。この局部保護カバー１８は全体が透光性部材からなり、本発明でいう透光部として機能する。また、この局部保護カバー１８には透光性部材からなる防塵プレート１９が一体化されており、その防塵プレート１９により読取口４が気密に閉鎖されている。これにより、本体２内に保護空間が形成されており、その保護空間内に光学モジュール３の局部である光学ホルダ１７が位置していることになる。
【００１２】
さて、上記構成の光学ホルダ１７を組立てた際に、例えば照明素子１４の組付けを忘れたり、光学部品に位置ずれが生じたまま組立てたりすることがあり、このような場合、バーコードリーダ１による読取りに支障を生じることになる。
しかしながら、本実施例では、光学モジュール３の局部である光学ホルダ１７を透光性の局部保護カバー１８で閉鎖することにより内部を目視点検可能に構成したので、光学ホルダ１７の組付け状態を外部から目視点検することができる。従って、光学モジュールが不透光性部材のケースで閉鎖されている構成のものと違って、光学モジュールの組立てた後であっても光学ホルダ１７の検査を行うことができ、不良製品を出荷してしまうことを未然に防止することができる。
【００１３】
一方、下ケース５には電池蓋のロック機能に関連して開口部が形成されており、その開口部からの塵埃の侵入を防止するために次のように構成されている。
図４は、バーコードリーダ１の裏側を示している。この図４において、バーコードリーダ１の裏側には電池収納部２０が設けられており、その電池収納部２０が電池蓋２１で閉鎖されている。この電池蓋２１は、電池蓋ロック（目視対象部品に相当）２２によりロックされており、その電池蓋ロック２２に対するスライド操作により電池蓋２１に対するロックを解除可能となっている。この場合、電池蓋ロック２２をスライド操作する必要から、下ケース５には開口部２３が形成されている。
【００１４】
図５は、電池蓋２１を取り外して示す電池蓋ロック２２である。この図５において、電池収納部２０を囲繞する溝部には電池収納部シール２４が装着されており、電池蓋２１が装着された状態で電池収納部２０に対する防塵が図られている。電池収納部２０と電池蓋ロック２２との間には２個の開口部２６が形成されており、電池蓋ロック２２がロック位置に位置した状態で電池蓋ロック２２により電池蓋２１がロックされるようになっている（図５は、電池蓋ロック２２をロック位置に位置させた状態を示している）。
【００１５】
ここで、上述した開口部２３、２６を通じて塵埃が本体２内に侵入する虞があることから、次のようにして防塵を図るようにしている。
図６は、バーコードリーダ１の下ケース５の裏側に組付けられた電池蓋ロック２２を示している。この図６において、下ケース５には被装着部２７が形成されており、その被装着部２７に電池蓋ロック２２が組付けられている。この電池蓋ロック２２の組付け状態では、電池蓋ロック２２は、電池蓋ロック押え２８及び電池蓋部シール（目視対象部品、パッキンに相当）２５により閉鎖された保護空間に位置している。ここで、上記電池蓋ロック押え２８は、透光性樹脂成形部材から形成されている。
【００１６】
図７は、被装着部２７の平面図である。この図７において、被装着部２７は、角部が湾曲形成された矩形状の土手部２９内において、２つの開口部２６の間に被係合部３０が形成されていると共に、その被係合部３０と土手部２９との間に開口部２３が形成されてなる。被係合部３０において開口部２３を臨む端面には２つの被係合凹部３０ａが形成されている。
【００１７】
電池蓋ロック押え２８、電池蓋部シール２５、電池蓋ロック２２を斜視して示す図８において、電池蓋ロック２２は、長尺状のスライド本体３１の端面に２つの係合腕部３２が突出形成されていると共に、それらの係合腕部３２の間に、スライド本体３１と平行なスライド腕部３３が一体に形成されてなり、そのスライド腕部３３の先端においてスライド本体３１と反対端面に係合凸部３３ａが形成されている。スライド本体３１の上面の中央には操作ノブ３４が突出形成されている（図９参照）。
【００１８】
ここで、下ケース５の土手部２９の周囲に電池蓋部シール２５が装着された状態で電池蓋ロック押え２８が被装着部２７にネジ止めされることにより、電池蓋ロック押え２８により保護空間が形成されており、その保護空間に電池蓋ロック２２が位置している。これにより、開口部２３，２６を通じて本体２内へ侵入する塵埃の防塵が図られている。
【００１９】
電池蓋ロック２２が被装着部２７に装着された状態では、図１０に示すように電池蓋ロック２２は、被係合部３０と土手部２９との間にスライド可能に位置決めされており、その位置決め状態では、スライド腕部３３の端面が被係合部３０の端面に当接する。また、電池蓋ロック２２の操作ノブ３４が被装着部２７に形成された開口部２３から外方を臨む。この場合、スライド腕部３３の係合凸部３３ａが被係合部３０の被係合凹部３０ａに係合することにより、電池蓋ロック２２がロック位置とリリース位置とに位置決めされるようになっており、電池蓋ロック２２がロック位置に位置した状態では、係合腕部３２が被装着部２７に形成された開口部２６に位置する。これにより、電池蓋２１に形成された図示しない被係合部に係合して電池蓋２１がロックされる。
【００２０】
ところで、上述したように被装着部２７に形成された開口部２３，２６の防塵を、電池蓋ロック押え２８と電池蓋部シール２５により図るようにしているものの、電池蓋部シール２５を被装着部２７の土手部２９に装着する工程において、電池蓋部シール２５の装着を忘れたり、装着するにしても、電池蓋部シール２５が土手部２９の周囲に正しく装着できなかったり、捩れて装着したりしてしまうことがあり、このような場合は、開口部２３，２６を通じた防塵性能が低下してしまう虞がある。
【００２１】
しかしながら、本実施例では、電池蓋ロック押え２８は透光性樹脂から形成されており、電池蓋ロック押え２８を被装着部２７にネジ止めした状態で、電池蓋部シール２５の組付け状態、或いは電池蓋ロック２２の組付け状態を外部から目視点検することができるので、電池蓋ロック押え２８が不透光性樹脂から形成されている場合と違って、電池蓋ロック押え２８を装着した後であっても、組付け工程の際の不具合を発見して確実に対処することができる。
しかも、このように優れた効果は、従来の電池蓋ロック押えを透光性樹脂で形成するだけで実施することができるので、コストが増大することなく容易に実施することができる。
【００２２】
本発明は、上記実施例に限定されることなく、次のように変形または拡張できる。
上ケース６全体を透光性樹脂で形成したり、電池蓋部シール２５を明るい色の材質として目視点検をし易くしたりしてもよい。
【００２３】
携帯端末として、内蔵した電子回路を外部から目視点検可能な構成としてもよい。
【図面の簡単な説明】
【００２４】
【図１】本発明の一実施例におけるバーコードリーダの先端部を示す斜視図
【図２】バーコードリーダの平面図
【図３】バーコードリーダの先端部の縦断側面図
【図４】バーコードリーダの底面図
【図５】電池蓋を外した状態で示すバーコードリーダの要部の底面図
【図６】電池蓋ロック押えの装着状態で示す被装着部の平面図
【図７】被装着部の平面図
【図８】電池蓋ロック、電池蓋部シール、電池蓋ロック押えの斜視図
【図９】電池蓋ロックの平面図
【図１０】電池蓋ロックの装着状態で示す被装着部の平面図
【符号の説明】
【００２５】
図面中、１はバーコードリーダ（携帯端末）、２は本体、３は光学モジュール（光学系）、４は読取口、５は下ケース、６は上ケース、１７は光学ホルダ（目視対象部品、局部）、１８は局部保護カバー、１９は防塵プレート、２２は電池蓋ロック（目視対象部品）、２５は電池蓋部シール（目視対象部品、パッキン）、２８は電池蓋ロック押えである。
【図１】
2005352972.tif 000003
【図２】
2005352972.tif 000004
【図３】
2005352972.tif 000005
【図４】
2005352972.tif 000006
【図５】
2005352972.tif 000007
【図６】
2005352972.tif 000008
【図７】
2005352972.tif 000009
【図８】
2005352972.tif 000010
【図９】
2005352972.tif 000011
【図１０】
2005352972.tif 000012